(57)【要約】【課題】データ通信処理を中断して他の処理を優先的に実行しても、すでに通信したデータについて有効に活用する情報処理装置、情報処理システム，及びプログラムを提供すること。【解決手段】第１の実行手段（４０）は、通信相手装置との間のデータ通信処理を実行する。他の処理の実行要求を受け付けた場合に、中断手段（４２）は通信相手装置との間の前記データ通信処理を中断し、第２の実行手段（４４）は該他の処理を実行する。再開手段（５０）は、他の処理の実行状態が予め定められた状態になった場合、中断手段（４２）によって中断されるまでに第１の実行手段（４０）によって実行されていないデータに対してデータ通信処理を再開する。【選択図】図２
2010093438.tif 000002
【特許請求の範囲】
【請求項１】
通信相手装置との間のデータ通信処理を実行する第１の実行手段と、
他の処理の実行要求を受け付けた場合に前記通信相手装置との間の前記データ通信処理を中断する中断手段と、
前記他の処理を実行する第２の実行手段と、
前記他の処理の実行状態が予め定められた状態になった場合、前記中断手段によって中断されるまでに前記第１の実行手段によって実行されていないデータに対して前記データ通信処理を再開する再開手段と、
を含むことを特徴とする情報処理装置。
【請求項２】
前記中断手段によって前記データ通信処理が中断される場合、第１の通知データを前記通信相手装置に送信する第１の通知データ送信手段と、
前記他の処理の実行状態が予め定められた状態になった場合、第２の通知データを前記通信相手装置に送信する第２の通知データ送信手段と、
を更に含むことを特徴とする請求項１に記載の情報処理装置。
【請求項３】
前記通信相手装置との間の前記データ通信処理が中断されるまでの実行結果と、前記通信相手装置との間の前記データ通信処理が再開された後の実行結果とに基づいて、前記通信相手装置との前記データ通信処理の実行結果を取得する取得手段を更に含むことを特徴とする請求項１又は２に記載の情報処理装置。
【請求項４】
前記中断手段によって前記データ通信処理が中断された場合、前記第１の実行手段によって通信されたデータを記憶する記憶手段を更に含み、
前記取得手段は、前記記憶手段によって記憶されたデータと前記再開手段によって再開された後の実行結果に関するデータとを合成することによって、前記通信相手装置との前記データ通信処理の実行結果を取得する、
ことを特徴とする請求項３に記載の情報処理装置。
【請求項５】
通信相手装置との間のデータ通信処理を実行する第３の実行手段と、
前記通信相手装置から第１の通知データを受信した場合、前記通信相手装置との前記データ通信処理を中断する中断手段と、
前記通信相手装置から第２の通知データを受信した場合、前記中断手段によって中断されるまでに前記第３の実行手段によって実行されていないデータに対して前記データ通信処理を再開する再開手段と、
前記通信相手装置との間の前記データ通信処理が中断されるまでの実行結果と、前記通信相手装置との間の前記データ通信処理が再開された後の実行結果とに基づいて、前記通信相手装置との前記データ通信処理の実行結果を取得する取得手段と、
を含むことを特徴とする情報処理装置。
【請求項６】
前記通信相手装置との前記データ通信処理が中断されるまでの実行結果に関するデータを記憶手段に記憶させる手段を更に含み、
前記取得手段は、前記記憶手段によって記憶されたデータと前記再開手段によって再開された後の実行結果に関するデータとを合成することによって、前記通信相手装置との前記データ通信処理の実行結果を取得する、
ことを特徴とする請求項５に記載の情報処理装置。
【請求項７】
前記通信相手装置にデータを送信することができない状態が予め定められた期間にわたって継続した場合に前記第３の実行手段を中止する中止手段と、
前記通信相手装置から第１の通知データを受信した場合、前記中止手段による中止の実行を制限する制限手段と、
前記通信相手装置から第２の通知データを受信した場合、前記中止手段による中止の実行に対する制限を解除又は緩和する手段と、
を含むことを特徴とする請求項５又は６に記載の情報処理装置。
【請求項８】
通信相手装置との間のデータ通信処理を実行する手段と、
前記通信相手装置から送信されたデータを受信しない状態が予め定められた期間にわたって継続した場合、前記通信相手装置との間の前記データ通信処理の実行を中止する中止手段と、
前記通信相手装置から第１の通知データを受信した場合、前記中止手段による中止の実行を制限する手段と、
前記通信相手装置から第２の通知データを受信した場合、前記中止手段による中止の実行に対する制限を解除又は緩和する手段と、
を含むことを特徴とする情報処理装置。
【請求項９】
第１の情報処理装置と、第２の情報処理装置と、を含み、
前記第１の情報処理装置は、
前記第２の情報処理装置との間のデータ通信処理を実行する第１の実行手段と、
他の処理の実行要求を受け付けた場合に前記第２の情報処理装置との間の前記データ通信処理を中断する中断手段と、
前記他の処理を実行する第２の実行手段と、
前記第２の情報処理装置との間の前記データ通信処理が中断される場合、第１の通知データを前記第２の情報処理装置に送信する第１の通知データ送信手段と、を含み、
前記第２の情報処理装置は、
前記第１の情報処理装置との間のデータ通信処理を実行する第３の実行手段と、
前記第１の通知データを受信した場合、前記第１の情報処理装置との間の前記データ通信処理に関する状態を第１の状態に変更する第１の状態変更手段と、を含み、
前記第１の情報処理装置は、
前記他の処理の実行状態が予め定められた状態になった場合、第２の通知データを前記第２の情報処理装置に送信する第２の通知データ送信手段と、
前記他の処理の実行状態が前記予め定められた状態になった場合、前記中断手段によって中断されるまでに前記第１の実行手段によって実行されていないデータに対して前記データ通信処理を再開する再開手段と、をさらに含み、
前記第２の情報処理装置は、
前記第２の通知データを受信した場合、前記第１の情報処理装置との前記データ通信処理に関する状態を第２の状態に変更する第２の状態変更手段をさらに含む、
ことを特徴とする情報処理システム。
【請求項１０】
通信相手装置との間のデータ通信処理を実行する第１の実行手段、
他の処理の実行要求を受け付けた場合に前記通信相手装置との間の前記データ通信処理を中断する中断手段、
前記他の処理を実行する第２の実行手段、及び、
前記他の処理の実行状態が予め定められた状態になった場合、前記中断手段によって中断されるまでに前記第１の実行手段によって実行されていないデータに対して前記データ通信処理を再開する再開手段、
としてコンピュータを機能させるためのプログラム。
【請求項１１】
通信相手装置との間のデータ通信処理を実行する第３の実行手段、
前記通信相手装置から第１の通知データを受信した場合、前記通信相手装置との前記データ通信処理を中断する中断手段、
前記通信相手装置から第２の通知データを受信した場合、前記中断手段によって中断されるまでに前記第３の実行手段によって実行されていないデータに対して前記データ通信処理を再開する再開手段、及び、
前記通信相手装置との間の前記データ通信処理が中断されるまでの実行結果と、前記通信相手装置との間の前記データ通信処理が再開された後の実行結果とに基づいて、前記通信相手装置との前記データ通信処理の実行結果を取得する取得手段、
としてコンピュータを機能させるためのプログラム。
【請求項１２】
通信相手装置との間のデータ通信処理を実行する手段、
前記通信相手装置から送信されたデータを受信しない状態が予め定められた期間にわたって継続した場合、前記通信相手装置との間の前記データ通信処理の実行を中止する中止手段、
前記通信相手装置から第１の通知データを受信した場合、前記中止手段による中止の実行を制限する手段、及び、
前記通信相手装置から第２の通知データを受信した場合、前記中止手段による中止の実行に対する制限を解除又は緩和する手段、
としてコンピュータを機能させるためのプログラム。
【発明の詳細な説明】
【技術分野】
【０００１】
本発明は情報処理装置、情報処理システム及びプログラムに関する。
【背景技術】
【０００２】
他の情報処理装置との間のデータ通信処理と、他の処理と、を実行する情報処理装置が知られている。例えば、ＦＡＸ機能、コピー機能、印刷機能、及びスキャナ機能などを備えた画像処理装置が知られている。このような情報処理装置では、ＣＰＵ（Central Processing Unit）やメモリなどの資源が限られることによって、複数の処理を並列して実行できない場合がある。また、仮に複数の処理を並列して実行できたとしても、それぞれの処理の実行速度が非常に低下してしまうため、複数の処理を並列して実行すべきでない場合もある。この点、特許文献１には、コピー機能と、パーソナルコンピュータから送られてきた画像を他のファクシミリ装置にＦＡＸ送信するＦＡＸ送信機能とを備えた画像処理装置において、コピー機能キーが操作された場合にＦＡＸ送信機能の実行要求の受付を一定期間禁止する技術が開示されている。
【特許文献１】特開２００４−２８９４８０号公報
【発明の開示】
【発明が解決しようとする課題】
【０００３】
本発明は、データ通信処理の実行を中断して他の処理を優先的に実行しても、すでに通信したデータについて有効に活用する情報処理装置、情報処理システム及びプログラムを提供することにある。
【課題を解決するための手段】
【０００４】
上記課題を解決するために、請求項１に記載の情報処理装置の発明は、通信相手装置との間のデータ通信処理を実行する第１の実行手段と、他の処理の実行要求を受け付けた場合に前記通信相手装置との間の前記データ通信処理を中断する中断手段と、前記他の処理を実行する第２の実行手段と、前記他の処理の実行状態が予め定められた状態になった場合、前記中断手段によって中断されるまでに前記第１の実行手段によって実行されていないデータに対して前記データ通信処理を再開する再開手段と、を含むことを特徴とする。
【０００５】
また、請求項２に記載の発明は、請求項１に記載の情報処理装置において、前記中断手段によって前記データ通信処理が中断される場合、第１の通知データを前記通信相手装置に送信する第１の通知データ送信手段と、前記他の処理の実行状態が予め定められた状態になった場合、第２の通知データを前記通信相手装置に送信する第２の通知データ送信手段と、を更に含むことを特徴とする。
【０００６】
また、請求項３に記載の発明は、請求項１又は２に記載の情報処理装置において、前記通信相手装置との間の前記データ通信処理が中断されるまでの実行結果と、前記通信相手装置との間の前記データ通信処理が再開された後の実行結果とに基づいて、前記通信相手装置との前記データ通信処理の実行結果を取得する取得手段を更に含むことを特徴とする。
【０００７】
また、請求項４に記載の発明は、請求項３に記載の情報処理装置において、前記中断手段によって前記データ通信処理が中断された場合、前記第１の実行手段によって通信されたデータを記憶する記憶手段を更に含み、前記取得手段は、前記記憶手段によって記憶されたデータと前記再開手段によって再開された後の実行結果に関するデータとを合成することによって、前記通信相手装置との前記データ通信処理の実行結果を取得することを特徴とする。
【０００８】
また、請求項５に記載の情報処理装置の発明は、通信相手装置との間のデータ通信処理を実行する第３の実行手段と、前記通信相手装置から第１の通知データを受信した場合、前記通信相手装置との前記データ通信処理を中断する中断手段と、前記通信相手装置から第２の通知データを受信した場合、前記中断手段によって中断されるまでに前記第３の実行手段によって実行されていないデータに対して前記データ通信処理を再開する再開手段と、前記通信相手装置との間の前記データ通信処理が中断されるまでの実行結果と、前記通信相手装置との間の前記データ通信処理が再開された後の実行結果とに基づいて、前記通信相手装置との前記データ通信処理の実行結果を取得する取得手段と、を含むことを特徴とする。
【０００９】
また、請求項６に記載の発明は、請求項５に記載の情報処理装置において、前記通信相手装置との前記データ通信処理が中断されるまでの実行結果に関するデータを記憶手段に記憶させる手段を更に含み、前記取得手段は、前記記憶手段によって記憶されたデータと前記再開手段によって再開された後の実行結果に関するデータとを合成することによって、前記通信相手装置との前記データ通信処理の実行結果を取得する、ことを特徴とする。
【００１０】
また、請求項７に記載の発明は、請求項５又は６に記載の情報処理装置において、前記通信相手装置にデータを送信することができない状態が予め定められた期間にわたって継続した場合に前記第３の実行手段を中止する中止手段と、前記通信相手装置から第１の通知データを受信した場合、前記中止手段による中止の実行を制限する制限手段と、前記通信相手装置から第２の通知データを受信した場合、前記中止手段による中止の実行に対する制限を解除又は緩和する手段と、を含むことを特徴とする。
【００１１】
また、請求項８に記載の情報処理装置の発明は、通信相手装置との間のデータ通信処理を実行する手段と、前記通信相手装置から送信されたデータを受信しない状態が予め定められた期間にわたって継続した場合、前記通信相手装置との間の前記データ通信処理の実行を中止する中止手段と、前記通信相手装置から第１の通知データを受信した場合、前記中止手段による中止の実行を制限する手段と、前記通信相手装置から第２の通知データを受信した場合、前記中止手段による中止の実行に対する制限を解除又は緩和する手段と、を含むことを特徴とする。
【００１２】
また、請求項９に記載の情報処理システムの発明は、第１の情報処理装置と、第２の情報処理装置と、を含み、前記第１の情報処理装置は、前記第２の情報処理装置との間のデータ通信処理を実行する第１の実行手段と、他の処理の実行要求を受け付けた場合に前記第２の情報処理装置との間の前記データ通信処理を中断する中断手段と、前記他の処理を実行する第２の実行手段と、前記第２の情報処理装置との間の前記データ通信処理が中断される場合、第１の通知データを前記第２の情報処理装置に送信する第１の通知データ送信手段と、を含み、前記第２の情報処理装置は、前記第１の情報処理装置との間のデータ通信処理を実行する第３の実行手段と、前記第１の通知データを受信した場合、前記第１の情報処理装置との間の前記データ通信処理に関する状態を第１の状態に変更する第１の状態変更手段と、を含み、前記第１の情報処理装置は、前記他の処理の実行状態が予め定められた状態になった場合、第２の通知データを前記第２の情報処理装置に送信する第２の通知データ送信手段と、前記他の処理の実行状態が前記予め定められた状態になった場合、前記中断手段によって中断されるまでに前記第１の実行手段によって実行されていないデータに対して前記データ通信処理を再開する再開手段と、をさらに含み、前記第２の情報処理装置は、前記第２の通知データを受信した場合、前記第１の情報処理装置との前記データ通信処理に関する状態を第２の状態に変更する第２の状態変更手段をさらに含む、ことを特徴とする。
【００１３】
また、請求項１０に記載のプログラムの発明は、通信相手装置との間のデータ通信処理を実行する第１の実行手段、他の処理の実行要求を受け付けた場合に前記通信相手装置との間の前記データ通信処理を中断する中断手段、前記他の処理を実行する第２の実行手段、及び、前記他の処理の実行状態が予め定められた状態になった場合、前記中断手段によって中断されるまでに前記第１の実行手段によって実行されていないデータに対して前記データ通信処理を再開する再開手段、としてコンピュータを機能させるためのプログラムである。
【００１４】
また、請求項１１に記載のプログラムの発明は、通信相手装置との間のデータ通信処理を実行する第３の実行手段、前記通信相手装置から第１の通知データを受信した場合、前記通信相手装置との前記データ通信処理を中断する中断手段、前記通信相手装置から第２の通知データを受信した場合、前記中断手段によって中断されるまでに前記第３の実行手段によって実行されていないデータに対して前記データ通信処理を再開する再開手段、及び、前記通信相手装置との間の前記データ通信処理が中断されるまでの実行結果と、前記通信相手装置との間の前記データ通信処理が再開された後の実行結果とに基づいて、前記通信相手装置との前記データ通信処理の実行結果を取得する取得手段、としてコンピュータを機能させるためのプログラムである。
【００１５】
また、請求項１２に記載のプログラムの発明は、通信相手装置との間のデータ通信処理を実行する手段、前記通信相手装置から送信されたデータを受信しない状態が予め定められた期間にわたって継続した場合、前記通信相手装置との間の前記データ通信処理の実行を中止する中止手段、前記通信相手装置から第１の通知データを受信した場合、前記中止手段による中止の実行を制限する手段、及び、前記通信相手装置から第２の通知データを受信した場合、前記中止手段による中止の実行に対する制限を解除又は緩和する手段、としてコンピュータを機能させるためのプログラムである。
【発明の効果】
【００１６】
請求項１に記載の発明によれば、データ通信処理の実行を中断して他の処理を優先的に実行しても、すでに通信したデータについて有効に活用することができる。
【００１７】
請求項２に記載の発明によれば、本構成を有さない場合に比較して、通信相手装置にデータ通信処理の中断及び再開のタイミングを把握させることができる。
【００１８】
請求項３に記載の発明によれば、データ通信処理による実行結果を把握することができる。
【００１９】
請求項４に記載の発明によれば、分割して行われたデータ通信処理による実行結果を１つの実行結果として把握することができる。
【００２０】
請求項５に記載の発明によれば、データ通信処理による実行結果を把握することができる。
【００２１】
請求項６に記載の発明によれば、分割して行われたデータ通信処理による実行結果を１つの実行結果として把握することができる。
【００２２】
請求項７に記載の発明によれば、本構成を有さない場合に比較して、データ通信処理が中断されている間に、データ通信処理が中止されてしまうことを防ぐことができる。
【００２３】
請求項８に記載の発明によれば、本構成を有さない場合に比較して、データ通信処理が中断されている間に、データ通信処理が中止されてしまうことを防ぐことができる。
【００２４】
請求項９に記載の発明によれば、データ通信処理の実行を中断して他の処理を優先的に実行しても、中断しているデータ通信処理についてやり直すことなく、正常に完了することができる。
【００２５】
請求項１０に記載の発明によれば、データ通信処理の実行を中断して他の処理を優先的に実行しても、すでに通信したデータについて有効に活用することができる。
【００２６】
請求項１１に記載の発明によれば、データ通信処理による実行結果を把握することができる。
【００２７】
請求項１２に記載の発明によれば、本構成を有さない場合に比較して、データ通信処理が中断されている間に、データ通信処理が中止されてしまうことを防ぐことができる。
【発明を実施するための最良の形態】
【００２８】
［１．第１実施形態］
本発明の実施形態の例について図面に基づき詳細に説明する。
【００２９】
［１−１．構成］
図１は、本発明の第１実施形態に係る情報処理システムの構成を示す図である。図１に示すように、第１実施形態に係る情報処理システム１０は複数の画像処理装置２０（情報処理装置）を含む。複数の画像処理装置２０は、例えば電話回線網、インターネット、又はＬＡＮ（Local Area Network）などの通信手段を介して互いにデータ通信することが可能である。
【００３０】
画像処理装置２０は例えばＦＡＸ機能、プリント機能、コピー機能、及びスキャナ機能を備える。図１に示すように、画像処理装置２０は、制御部２２と、記憶部２４と、操作受付部２６と、表示部２８と、通信部３０と、画像形成部としてのプリンタ部３２と、画像読取部としてのスキャナ部３４と、を含む。
【００３１】
制御部２２はＣＰＵ等であり、記憶部２４に格納されているプログラムに従って各種情報処理を実行する。例えば、制御部２２は、画像情報をプリンタ部３２に出力する処理（プリント処理）や、スキャナ部３４から受け取った画像情報をプリンタ部３２に出力する処理（コピー処理）を実行する。また例えば、制御部２２は、スキャナ部３４から受け取った画像情報を通信部３０を介して他の画像処理装置２０に送信する処理（例えばＦＡＸ送信処理）や、通信部３０を介して他の画像処理装置２０から画像情報を受信する処理（例えばＦＡＸ受信処理）を実行する。
【００３２】
記憶部２４は、ＲＡＭ（Random Access Memory）やＲＯＭ（Read Only Memory）等の記憶素子や、ハードディスク等を用いて実現される。記憶部２４は、制御部２２によって実行されるプログラムを格納する。なお、プログラムはあらかじめ記憶部２４に記憶されていてもよいし、光ディスク又はメモリカード等の情報記憶媒体に記憶されるプログラムが読み出されて記憶部２４に記憶されるようにしてもよい。記憶部２４は、制御部２２の実行時に必要となるデータを保持するワークメモリとしても動作する。さらに、記憶部２４は、画像処理装置２０の電源が切られても記憶内容を保持し続けるメモリ素子を含み、各種設定を保持する。
【００３３】
操作受付部２６は、例えばプッシュボタンなどであり、ユーザの指示操作を受け付けて、当該指示操作の内容を制御部２２に出力する。表示部２８は、例えば液晶ディスプレイなどであり、制御部２２から入力される指示に従って情報を表示する。通信部３０は画像情報を受信し、制御部２２に出力する。また、通信部３０は、制御部２２から入力される指示に従って、指示された宛先に対して画像情報を送信する。
【００３４】
プリンタ部３２は、制御部２２から入力される画像情報に基づいて、紙媒体などの記録媒体上に画像を形成する。スキャナ部３４は、紙媒体などに形成された画像を光学的に読み取り、画像情報として制御部２２に出力する。
【００３５】
以下、画像処理装置２０において、他の画像処理装置２０との間のデータ通信処理（例えば、ＦＡＸ送信処理又はＦＡＸ受信処理）の実行中に、データ通信処理よりも優先度の高い他の処理（例えば、プリント処理、コピー処理、又はスキャナ処理）の実行指示を受け付けた場合に、データ通信処理の実行を中断して該他の処理を優先的に実行しても、すでに通信したデータについて有効に活用するための技術について説明する。
【００３６】
［１−２．機能ブロック］
図２は、情報処理システム１０で実現される機能を示す機能ブロック図である。図２では、第１の画像処理装置２０Ａ及び第２の画像処理装置２０Ｂで実現される機能ブロックが表されている。
【００３７】
図２に示すように、第１の画像処理装置２０Ａは第１の実行部４０、中断部４２、第２の実行部４４、第１の通知データ送信部４６、第２の通知データ送信部４８、再開部５０、取得部５２、及び記憶部５４を含む。例えば、記憶部５４は第１の画像処理装置２０Ａの記憶部２４によって実現され、その他の機能ブロックは第１の画像処理装置２０Ａの制御部２２がプログラムを実行することによって実現される。
【００３８】
また、第２の画像処理装置２０Ｂは第３の実行部６０、中断部６２、再開部６４、取得部６６、及び記憶部６８を含む。例えば、記憶部６８は第２の画像処理装置２０Ｂの記憶部２４によって実現され、その他の機能ブロックは第２の画像処理装置２０Ｂの制御部２２がプログラムを実行することによって実現される。
【００３９】
第１の実行部４０は、例えば、第２の画像処理装置２０Ｂとの間のデータ通信処理を実行する。一方、第３の実行部６０は、例えば、第１の画像処理装置２０Ａとの間のデータ通信処理を実行する。例えば、第１の実行部４０は第２の画像処理装置２０ＢへのＦＡＸ送信処理を実行し、第３の実行部６０は第１の画像処理装置２０ＡからのＦＡＸ受信処理を実行する。また例えば、第１の実行部４０は第２の画像処理装置２０ＢからのＦＡＸ受信処理を実行し、第３の実行部６０は第１の画像処理装置２０ＡへのＦＡＸ送信処理を実行する。
【００４０】
例えば、第２の画像処理装置２０Ｂとの間のデータ通信処理の実行中に、該データ通信処理よりも優先度の高い他の処理（例えば、コピー処理、プリント処理、又はスキャナ処理）の実行指示操作が第１の画像処理装置２０Ａで受け付けられた場合に、中断部４２は第２の画像処理装置２０Ｂとの間のデータ通信処理を中断し、第２の実行部４４は上記他の処理を実行する。また例えば、中断部４２は、第２の画像処理装置２０Ｂとのデータ通信処理を中断する場合、それまでのデータ通信処理の進行状況や実行結果に関するデータを記憶部５４に保存する。例えば、それまでのデータ通信処理のログが「実行結果」として記憶部５４に保存される。また例えば、データ通信処理がＦＡＸ受信処理である場合には、受信した文書の画像情報が「実行結果」として記憶部５４に保存される。
【００４１】
第２の画像処理装置２０Ｂとの間のデータ通信処理が中断される場合、第１の通知データ送信部４６は第１の通知データを第２の画像処理装置２０Ｂに送信する。第１の通知データは、第２の画像処理装置２０Ｂとの間のデータ通信処理を中断する旨を第２の画像処理装置２０Ｂに通知するデータである。
【００４２】
第２の画像処理装置２０Ｂでは、第１の通知データが受信された場合、中断部６２（第１の状態変更手段）が第１の画像処理装置２０Ａとの間のデータ通信処理に関する状態を第１状態に変更する。具体的には、中断部６２は、第１の画像処理装置２０Ａとの間のデータ通信処理を中断する。つまり、中断部６２は、第１の画像処理装置２０Ａとの間のデータ通信処理の実行状態を、実行中の状態から、中断の状態に変更する。この場合、第１の通知データは、第２の画像処理装置２０Ｂに、第１の画像処理装置２０Ａとの間のデータ通信処理を中断するように指示するためのデータとしての役割を果たしていることになる。また例えば、中断部６２は、第１の画像処理装置２０Ａとのデータ通信処理を中断する場合、それまでのデータ通信処理の進行状況や実行結果に関するデータを記憶部６８に保存する。
【００４３】
第１の画像処理装置２０Ａでは、第２の実行部４４によって実行される上記他の処理の実行状態が予め定められた状態になった場合、第２の通知データ送信部４８が第２の通知データを第２の画像処理装置２０Ｂに送信する。第２の通知データは、第２の画像処理装置２０Ｂとの間のデータ通信処理を再開する旨を第２の画像処理装置２０Ｂに通知するデータである。なお、「処理の実行状態が予め定められた状態になった場合」とは、例えば、処理の実行が完了した場合である。
【００４４】
また第１の画像処理装置２０Ａでは、第２の実行部４４によって実行される上記他の処理の実行状態が予め定められた状態になった場合、再開部５０は、中断部４２によって中断されるまでに第１の実行部４０によって実行されていないデータに関して、第２の画像処理装置２０Ｂとの間のデータ通信処理を再開する。例えば、再開部５０は、データ通信処理が中断されるまでのデータ通信処理の進行状況に関するデータを記憶部５４から読み出し、そのデータに基づいて、第２の画像処理装置２０Ｂとの間のデータ通信処理を再開する。この場合、第２の画像処理装置２０Ｂとの間のデータ通信処理が中断時の続きから再開される。
【００４５】
第２の画像処理装置２０Ｂでは、第２の通知データが受信された場合、再開部６４（第２の状態変更手段）が第１の画像処理装置２０Ａとのデータ通信処理に関する状態を第２状態に変更する。具体的には、再開部６４は、第１の画像処理装置２０Ａとの間のデータ通信処理を再開する。つまり、再開部６４は、第１の画像処理装置２０Ａとの間のデータ通信処理の実行状態を、中断の状態から、実行中の状態に変更する。この場合、第２の通知データは、第２の画像処理装置２０Ｂに、第１の画像処理装置２０Ａとの間のデータ通信処理を再開するように指示するためのデータとしての役割を果たしていることになる。
【００４６】
取得部５２は、第２の画像処理装置２０Ｂとの間のデータ通信処理が中断されるまでの実行結果を記憶部５４から読み出し、該実行結果と、第２の画像処理装置２０Ｂとの間のデータ通信処理が再開された後の実行結果とに基づいて、第２の画像処理装置２０Ｂとの間のデータ通信処理全体の実行結果を取得する。取得部５２の動作の詳細については後述する（図３のＳ１１６や図７のＳ２１４，Ｓ２１５参照）。
【００４７】
同様に、取得部６６は、第１の画像処理装置２０Ａとの間のデータ通信処理が中断されるまでの実行結果を記憶部６８から読み出し、該実行結果と、第１の画像処理装置２０Ａとの間のデータ通信処理が再開された後の実行結果とに基づいて、第１の画像処理装置２０Ａとの間のデータ通信処理全体の実行結果を取得する。取得部６６の動作の詳細については後述する（図３のＳ１１４，Ｓ１１５や図７のＳ２１６参照）。
【００４８】
［１−３．処理（１）］
情報処理システム１０で実行される処理について説明する。図３は、情報処理システム１０で実行される処理の一例を説明するための図である。図３は、第１の画像処理装置２０Ａから第２の画像処理装置２０ＢへのＦＡＸ送信が行われる場合の処理を示し、特に、第１の画像処理装置２０ＡでＦＡＸ送信処理の実行中にコピー処理の実行が指示された場合の処理を示す。第１の画像処理装置２０Ａ及び第２の画像処理装置２０Ｂの制御部２２は、記憶部２４に記憶されたプログラムに従って、図３に示す処理を実行する。
【００４９】
図３に示すように、ＦＡＸ送信処理の実行指示が受け付けられた場合（Ｓ１０１）、第１の画像処理装置２０Ａ（第１の実行部４０）はＦＡＸ送信処理の実行を開始する（Ｓ１０２）。具体的には、まず、ＦＡＸ送信対象の文書がスキャナ部３４によって読み取られ、該文書の画像情報が生成される。その後、第１の画像処理装置２０Ａは、ユーザが指定したＦＡＸ送信相手の画像処理装置２０（第２の画像処理装置２０Ｂ）と通信接続する。また、第１の画像処理装置２０Ａは、今回のＦＡＸ送信処理を識別するための処理ＩＤを決定し、該処理ＩＤを第２の画像処理装置２０Ｂに送信する。その後、第１の画像処理装置２０Ａから第２の画像処理装置２０Ｂへの画像情報の送信が開始される。この場合、第２の画像処理装置２０Ｂ（第３の実行部６０）ではＦＡＸ受信処理が実行される。
【００５０】
ＦＡＸ送信処理の実行中にコピー処理の実行指示が受け付られた場合（Ｓ１０３）、第１の画像処理装置２０Ａ（第１の通知データ送信部４６）は第１の通知データを第２の画像処理装置２０Ｂに送信する（Ｓ１０４）。
【００５１】
第１の通知データを受信した第２の画像処理装置２０Ｂ（中断部６２）はＦＡＸ受信処理を中断する（Ｓ１０５）。例えば、第２の画像処理装置２０Ｂは、処理ＩＤと、受信済みの画像情報と、受信状況を示す受信状況情報と、を関連づけて記憶部２４（記憶部６８）に保存する。例えば、全１００頁の文書の第１頁から第３０頁までの画像情報を受信済みである場合、処理ＩＤと、第１頁から第３０頁までの画像情報と、第３０頁までを受信済みであることを示す受信状況情報と、が関連づけて記憶部２４に保存される。
【００５２】
また、第２の画像処理装置２０Ｂ（中断部６２）は、現在までのＦＡＸ受信処理のログを、記憶部２４（記憶部６８）に記憶されるログテーブルに登録する（Ｓ１０６）。図４は、第２の画像処理装置２０Ｂに記憶されるログテーブルの一例を示す図である。図４に示すように、ログテーブルは、「処理ＩＤ」、「種類」、「開始日時」、「終了日時」、「枚数」、「結果」、及び「備考」フィールドを含む。「種類」は、例えば「ＦＡＸ送信」、「ＦＡＸ受信」、「コピー」、「スキャナ」、又は「プリント」などの処理の種類を示す。「開始日時」及び「終了日時」は処理の開始日時及び終了日時を示す。「枚数」は処理対象の文書の枚数（頁数）を示す。「結果」は処理が正常に完了したか否かを示す。図４において、処理ＩＤ「１１０」に対応するログは、中断されたＦＡＸ受信処理のログである。
【００５３】
一方、第１の通知データを送信した後、第１の画像処理装置２０Ａ（中断部４２）はＦＡＸ送信処理を中断する（Ｓ１０７）。例えば、第１の画像処理装置２０Ａは、処理ＩＤと、ＦＡＸ送信相手（第２の画像処理装置２０Ｂ）と再接続するための接続情報と、送信対象の文書の画像情報と、送信状況を示す送信状況情報と、を関連づけて記憶部２４（記憶部５４）に保存する。例えば、全１００頁の文書の第１頁から第３０頁までの画像情報を送信済みである場合、処理ＩＤと、接続情報と、第１頁から第１００頁までの画像情報と、第３０頁までを送信済みであることを示す送信状況情報と、が関連づけて記憶部２４に保存される。また、例えば、第１の画像処理装置２０Ａは第２の画像処理装置２０Ｂとの通信接続を切断する。
【００５４】
さらに、第１の画像処理装置２０Ａ（中断部４２）は、現在までのＦＡＸ送信処理のログを、記憶部２４（記憶部５４）に記憶されるログテーブルに登録する（Ｓ１０８）。第１の画像処理装置２０Ａに記憶されるログテーブルの形式は第２の画像処理装置２０Ｂに記憶されるログテーブル（図４参照）と同様である。
【００５５】
ＦＡＸ送信処理を中断した第１の画像処理装置２０Ａはコピー処理を実行する（Ｓ１０９）。コピー処理が完了した場合、第１の画像処理装置２０Ａはコピー処理の実行結果を示すログをログテーブルに登録する。また、第１の画像処理装置２０Ａは、Ｓ１０７で記憶部２４に保存した接続情報を読み出し、第２の画像処理装置２０Ｂと再接続する。そして、第１の画像処理装置２０Ａ（第２の通知データ送信部４８）は、Ｓ１０７で記憶部２４に保存した処理ＩＤを読み出し、該処理ＩＤを含んでなる第２の通知データを第２の画像処理装置２０Ｂに送信する（Ｓ１１０）。第２の通知データを受信した第２の画像処理装置２０Ｂ（再開部６４）ではＦＡＸ受信処理が再開される（Ｓ１１２）。第２の通知データを送信した後、第１の画像処理装置２０Ａ（再開部５０）はＦＡＸ送信処理を再開する（Ｓ１１１）。この場合、Ｓ１０７で記憶部２４に保存された画像情報及び送信状況情報が読み出され、送信済みの頁の次の頁からＦＡＸ送信が再開される。例えば、全１００頁の文書の第１頁から第３０頁までの画像情報が送信済みである場合にはＦＡＸ送信が第３１頁から再開される。
【００５６】
全頁のＦＡＸ送信が完了した場合、第１の画像処理装置２０Ａは完了通知を第２の画像処理装置２０Ｂに送信する（Ｓ１１３）。完了通知を受信した場合、第２の画像処理装置２０Ｂ（取得部６６）は文書の全頁の画像情報を取得する（Ｓ１１４）。例えば、ＦＡＸ受信処理の再開後に受信した画像情報と、第２の通知データに含まれる処理ＩＤに関連づけて記憶部２４に記憶された、ＦＡＸ受信処理の中断前に受信した画像情報（Ｓ１０５で保存された画像情報）と、が合成されることによって、全頁の画像情報が取得される。
【００５７】
また、第２の画像処理装置２０Ｂ（取得部６６）はＦＡＸ受信処理全体のログを取得し、ログテーブルに登録する。（Ｓ１１５）。ＦＡＸ受信処理全体のログは、中断前のＦＡＸ受信処理のログと、再開後のＦＡＸ受信処理のログと、を合成することによって取得される。例えば、まず、再開後のＦＡＸ受信処理のログ（ここでは「ログＡ」と呼ぶ。）が生成される。図５はログＡの一例を示す。次に、ログＡと処理ＩＤが同じであるログ、すなわち、中断前のＦＡＸ受信処理のログ（ここでは「ログＢ」と呼ぶ。）がログテーブルから読み出される。そして、ログＢがログテーブルから削除され、ログＢとログＡとを合成することによって得られるログがログテーブルに追加される。図６は、この場合のログテーブルを示す。例えば、ログテーブルに新たなレコードが追加され、「処理ＩＤ」、「種類」フィールドにはログＢの「処理ＩＤ」、「種類」が格納される。また、「開始日時」フィールドにはログＢの「開始日時」が登録され、「終了日時」フィールドにはログＡの「終了日時」が登録される。さらに、「枚数」フィールドには、ログＡの「枚数」と、ログＢの「枚数」と、を加算して得られる枚数が登録される。「結果」フィールドには、正常終了したことを示す情報が登録される。なお、処理が中断せずに正常終了した場合と、処理が中断した後に正常終了した場合と、では区別されるようにするとよい。図６において、「正常終了」は、処理が中断せずに正常終了したことを示し、「正常終了（＊）」は、処理が中断した後に正常終了したことを示す。また、「備考」フィールドには、ログＢの「終了時刻」とログＡの「開始時刻」との差である中断時間が登録される。
【００５８】
一方、送信完了通知を送信した第１の画像処理装置２０Ａは第２の画像処理装置２０Ｂとの通信接続を切断する。また、第１の画像処理装置２０Ａ（取得部５２）はＦＡＸ送信処理全体のログを取得し、ログテーブルに登録する（Ｓ１１６）。ＦＡＸ送信処理全体のログは、中断前のＦＡＸ送信処理のログと、再開後のＦＡＸ送信処理のログと、を合成することによって取得される。この処理はＳ１１５の処理と同様に実行される。
【００５９】
図３に示す処理では、第１の画像処理装置２０Ａにおいて第２の画像処理装置２０ＢへのＦＡＸ送信処理の実行中にコピー処理の実行指示が受け付けられた場合に、ＦＡＸ送信処理に優先してコピー処理が実行されても、すでに通信したデータが有効に活用され、コピー処理とＦＡＸ送信処理との両方が正常に完了される。
【００６０】
［１−４．処理（２）］
図７は、情報処理システム１０で実行される処理の他の一例を説明するための図である。図７は、第２の画像処理装置２０Ｂから第１の画像処理装置２０ＡへのＦＡＸ送信が行われる場合の処理を示し、特に、第１の画像処理装置２０ＡでＦＡＸ受信処理の実行中にコピー処理の実行が指示された場合の処理を示す。第１の画像処理装置２０Ａ及び第２の画像処理装置２０Ｂの制御部２２は、記憶部２４に記憶されたプログラムに従って、図７に示す処理を実行する。
【００６１】
図７に示すように、ＦＡＸ送信処理の実行指示が受け付けられた場合（Ｓ２０１）、第２の画像処理装置２０Ｂ（第３の実行部６０）はＦＡＸ送信処理の実行を開始する（Ｓ２０２）。Ｓ２０２の処理は図３のＳ１０２の処理と同様である。この場合、第１の画像処理装置２０Ａ（第１の実行部４０）ではＦＡＸ受信処理が実行される。
【００６２】
ＦＡＸ受信処理の実行中にコピー処理の実行指示が受け付けられた場合（Ｓ２０３）、第１の画像処理装置２０Ａ（第１の通知データ送信部４６）は第１の通知データを第２の画像処理装置２０Ｂに送信する（Ｓ２０４）。
【００６３】
第１の通知データを受信した第２の画像処理装置２０Ｂ（中断部６２）はＦＡＸ送信処理を中断する（Ｓ２０５）。この場合、第２の画像処理装置２０Ｂは、処理ＩＤと、送信対象の文書の画像情報と、送信状況を示す送信状況情報と、を関連づけて記憶部２４（記憶部６８）に保存する。また、第２の画像処理装置２０Ｂ（中断部６２）は、現在までのＦＡＸ送信処理のログをログテーブルに登録する（Ｓ２０６）。
【００６４】
一方、第１の通知データを送信した後、第１の画像処理装置２０Ａ（中断部４２）はＦＡＸ受信処理を中断する（Ｓ２０７）。この場合、第１の画像処理装置２０Ａは、処理ＩＤと、受信済みの画像情報と、受信状況を示す受信状況情報と、ＦＡＸ送信元（第２の画像処理装置２０Ｂ）に再接続するための接続情報と、を関連づけて記憶部２４（記憶部５４）に保存する。また、第１の画像処理装置２０Ａ（中断部４２）は、現在までのＦＡＸ受信処理のログをログテーブルに登録する（Ｓ２０８）。
【００６５】
ＦＡＸ受信処理を中断した第１の画像処理装置２０Ａはコピー処理を実行する（Ｓ２０９）。コピー処理が完了した場合、第１の画像処理装置２０Ａはコピー処理のログをログテーブルに登録する。また、第１の画像処理装置２０Ａは、Ｓ２０７で記憶部２４に保存した接続情報を読み出し、第２の画像処理装置２０Ｂと再接続する。そして、第１の画像処理装置２０Ａは、Ｓ２０７で記憶部２４に保存した処理ＩＤを読み出し、該処理ＩＤを含んでなる第２の通知データを第２の画像処理装置２０Ｂに送信する（Ｓ２１０）。そして、第１の画像処理装置２０Ａ（再開部５０）はＦＡＸ受信処理を再開する（Ｓ２１１）。
【００６６】
一方、第２の通知データを受信した第２の画像処理装置２０Ｂ（再開部６４）はＦＡＸ送信処理を再開する（Ｓ２１２）。この場合、第２の画像処理装置２０Ｂは、第２の通知データに含まれる処理ＩＤに関連づけて保存された画像情報及び送信状況情報を記憶部２４から読み出す。すなわち、第２の画像処理装置２０Ｂは、Ｓ２０７で記憶部２４に保存した画像情報及び送信状況情報を読み出す。そして、第２の画像処理装置２０Ｂは、送信済みの頁の次の頁からＦＡＸ送信処理を再開する。
【００６７】
全頁のＦＡＸ送信が完了した場合、第２の画像処理装置２０Ｂは完了通知を第１の画像処理装置２０Ａに送信する（Ｓ２１３）。完了通知を受信した第１の画像処理装置２０Ａ（取得部５２）は文書の全頁の画像情報を取得する（Ｓ２１４）。文書の全頁の画像情報は、ＦＡＸ受信処理の再開後に受信した画像情報を、ＦＡＸ受信処理の中断前に受信した画像情報（Ｓ２０７で保存された画像情報）と合成することによって取得される。また、第１の画像処理装置２０Ａ（取得部５２）はＦＡＸ受信処理全体のログを取得し、ログテーブルに登録する（Ｓ２１５）。ＦＡＸ受信処理全体のログは、中断前のＦＡＸ受信処理のログと、再開後のＦＡＸ受信処理のログと、を合成することによって取得される。一方、完了通知を送信した後、第２の画像処理装置２０Ｂは第１の画像処理装置２０Ａとの通信接続を切断する。また、第２の画像処理装置２０Ｂ（取得部６６）はＦＡＸ送信処理全体のログを取得し、ログテーブルに登録する（Ｓ２１６）。ＦＡＸ送信処理全体のログは、中断前のＦＡＸ送信処理のログと、再開後のＦＡＸ送信処理のログと、を合成することによって取得される。
【００６８】
図７に示す処理では、第１の画像処理装置２０Ａにおいて第２の画像処理装置２０ＢからのＦＡＸ受信処理の実行中にコピー処理の実行指示が受け付けられた場合に、ＦＡＸ受信処理に優先してコピー処理が実行されても、すでに通信したデータが有効に活用され、コピー処理とＦＡＸ受信処理との両方が正常に完了される。
【００６９】
［２．第２実施形態］
本発明の実施形態の他の一例について図面に基づき詳細に説明する。
【００７０】
［２−１．構成］
本発明の第２実施形態に係る情報処理システムは、第１実施形態に係る情報処理システム１０と類似の構成（図１）を有する。
【００７１】
［２−２．機能ブロック］
図８は、第２実施形態に係る情報処理システム１０ａで実現される機能を示す機能ブロック図である。図８では、第１の画像処理装置２０Ａ及び第２の画像処理装置２０Ｂで実現される機能ブロックが表されている。
【００７２】
図８に示すように、第１の画像処理装置２０Ａは第１の実行部４０、中断部４２、第２の実行部４４、第１の通知データ送信部４６、第２の通知データ送信部４８、再開部５０、及び記憶部５４を含む。記憶部５４は第１の画像処理装置２０Ａの記憶部２４によって実現され、その他の機能ブロックは第１の画像処理装置２０Ａの制御部２２がプログラムを実行することによって実現される。また、第２の画像処理装置２０Ｂは第３の実行部６０、制限部６２ａ、解除／緩和部６４ａ、及び中止部７２を含む。これらの機能ブロックは第２の画像処理装置２０Ｂの制御部２２がプログラムを実行することによって実現される。
【００７３】
第１の実行部４０、中断部４２、第２の実行部４４、第１の通知データ送信部４６、第２の通知データ送信部４８、再開部５０、記憶部５４、及び第３の実行部６０は第１実施形態と同様である。
【００７４】
中止部７２は、第１の画像処理装置２０Ａからデータを受信しない状態が予め定められた期間（以下「タイムアウト時間」と呼ぶ。）にわたって継続した場合、第１の画像処理装置２０Ａとの間のデータ通信処理を中止する。また、中止部７２は、第１の画像処理装置２０Ａにデータを送信できない状態（言い換えれば、第１の画像処理装置２０Ａがデータを受信できない状態）がタイムアウト時間にわたって継続した場合にも、第１の画像処理装置２０Ａとの間のデータ通信処理を中止する。以下、第１の画像処理装置２０Ａからデータを受信しない状態がタイムアウト時間にわたって継続した場合や第１の画像処理装置２０Ａにデータを送信できない状態がタイムアウト時間にわたって継続した場合に第１の画像処理装置２０Ａとの間のデータ通信処理を中止する処理のことを「タイムアウト処理」と呼ぶ。
【００７５】
制限部６２ａ（第１の状態変更手段）は、第１の通知データが受信された場合に、第１の画像処理装置２０Ａとの間のデータ通信処理に関する状態を第１状態に変更する点で第１実施形態における中断部６２と類似する。ただし、制限部６２ａは、タイムアウト処理（中止部７２による中止）の実行を制限する点で第１実施形態における中断部６２と異なる。つまり、制限部６２ａは、第１の画像処理装置２０Ａとのデータ通信処理の実行状態を、タイムアウト処理の実行が制限されていない状態から、タイムアウト処理の実行が制限された状態に変更する。この場合、第１の通知データは、第２の画像処理装置２０Ｂに、タイムアウト処理の実行を制限するように指示するためのデータとしての役割を果たしていることになる。なお、「タイムアウト処理の実行を制限する」とは、タイムアウト処理が実行され難くすることや、タイムアウト処理が実行されないようにすることである。例えば、制限部６２ａは、タイムアウト時間を、通常の時間である第１の時間（例えば３０秒）から、第１の時間よりも長い第２の時間（例えば５分）に変更する。この場合、タイムアウト処理が実行され難くなる。また例えば、制限部６２ａはタイムアウト処理の実行が抑止されるような状態にする。すなわち、制限部６２ａは、第１の画像処理装置２０Ａからデータを受信しない状態がタイムアウト時間にわたって継続した場合であっても、第１の画像処理装置２０Ａとの間のデータ通信処理が中止されないようにする。
【００７６】
解除／緩和部６４ａ（第２の状態変更手段）は、第２の通知データが受信された場合に、第１の画像処理装置２０Ａとの間のデータ通信処理に関する状態を第２状態に変更する点で第１実施形態における再開部６４と類似する。ただし、解除／緩和部６４ａは、タイムアウト処理の実行の制限を解除又は緩和する点で第１実施形態における再開部６４と異なる。つまり、解除／緩和部６４ａは、タイムアウト処理の実行が制限された状態から、タイムアウト処理の実行の制限が解除又は緩和された状態に変更する。この場合、第２の通知データは、第２の画像処理装置２０Ｂに、タイムアウト処理の実行の制限を解除又は緩和するように指示するためのデータとしての役割を果たしていることになる。例えば、制限部６２ａによってタイムアウト時間が第２の時間（例えば５分）に変更されている場合、解除／緩和部６４ａは、タイムアウト時間を、第２の時間から、元々のタイムアウト時間である第１の時間（例えば３０秒）に変更する。この場合、タイムアウト処理の実行の制限が解除されることになる。また例えば、制限部６２ａによってタイムアウト時間が第２の時間（例えば５分）に変更されている場合、解除／緩和部６４ａは、タイムアウト時間を、第２の時間から、第２の時間よりも短い第３の時間（例えば１分）に変更するようにしてもよい。この場合、タイムアウト処理の実行の制限が緩和されることになる。なお、この場合、今回のデータ通信処理が完了したタイミング等でタイムアウト時間が元々のタイムアウト時間である第１の時間（例えば３０秒）に変更されることになる。また例えば、タイムアウト処理の実行が抑止されている場合、解除／緩和部６４ａはタイムアウト処理が実行され得るようにする。つまり、解除／緩和部６４ａは、第１の画像処理装置２０Ａからデータを受信しない状態がタイムアウト時間にわたって継続した場合や第１の画像処理装置２０Ａにデータを送信できない状態がタイムアウト時間にわたって継続した場合に第１の画像処理装置２０Ａとの間のデータ通信処理が中止されるようにする。この場合、タイムアウト処理の実行の制限が解除されることになる。
【００７７】
［２−３．処理］
図９は、第２実施形態に係る情報処理システムで実行される処理の一例を説明するための図である。ここでは、第２の画像処理装置２０Ｂが例えばパーソナルコンピュータである場合を想定する。この場合、第２の画像処理装置２０Ｂはプリンタ部３２及びスキャナ部３４を有しないことになる。図９は、第１の画像処理装置２０Ａのスキャナ部３４によって得られた画像情報を第１の画像処理装置２０Ａから第２の画像処理装置２０Ｂに送信して、該画像情報を第２の画像処理装置２０Ｂ（例えばパーソナルコンピュータ）に保存する場合の処理を示し、特に、第１の画像処理装置２０Ａで上記送信処理の実行中にコピー処理の実行が指示された場合の処理を示す。
【００７８】
図９に示すように、スキャナ処理の実行指示が受け付けられた場合（Ｓ３０１）、スキャナ処理（Ｓ３０２）が実行された後、第１の画像処理装置２０Ａ（第１の実行部４０）は、スキャナ処理によって得られた画像情報を第２の画像処理装置２０Ｂに送信する（Ｓ３０３）。この場合、第２の画像処理装置２０Ｂ（第３の実行部６０）では画像情報の受信処理が実行される。
【００７９】
第２の画像処理装置２０Ｂへの送信処理の実行中にコピー処理の実行指示が受け付けられた場合（Ｓ３０４）、第１の画像処理装置２０Ａ（第１の通知データ送信部４６）は、第１の通知データを第２の画像処理装置２０Ｂに送信する（Ｓ３０５）。第１の通知データを受信した第２の画像処理装置２０Ｂ（制限部６２ａ）は、タイムアウト時間を、通常の時間である第１の時間（例えば３０秒）よりも長い第２の時間（例えば５分）に変更する（Ｓ３０６）。ここで、「第２の時間」は、データ通信処理を中断して実行される処理（図９の例ではコピー処理）を完了するために十分な時間を考慮してあらかじめ設定される。なお、上記第２の時間を示す情報を第２の通知データに含めるようにして、第１の画像処理装置２０Ａが第２の画像処理装置２０Ｂに上記第２の時間を指示するようにしてもよい。
【００８０】
一方、第１の通知データを送信した後、第１の画像処理装置２０Ａ（中断部４２）は、第２の画像処理装置２０Ｂへの画像情報の送信処理を中断する（Ｓ３０７）。例えば、第１の画像処理装置２０Ａは、送信対象の文書の画像情報と、送信状況を示す送信状況情報と、を関連づけて記憶部２４（記憶部５４）に保存する。
【００８１】
その後、第１の画像処理装置２０Ａはコピー処理を実行する（Ｓ３０８）。コピー処理が完了した場合、第１の画像処理装置２０Ａはコピー処理のログをログテーブルに登録する。また、第１の画像処理装置２０Ａ（第２の通知データ送信部４８）は第２の通知データを第２の画像処理装置２０Ｂに送信する（Ｓ３０９）。第２の通知データを受信した第２の画像処理装置２０Ｂ（解除／緩和部６４ａ）は、タイムアウト時間を、通常の時間である第１の時間（例えば３０秒）に変更する（Ｓ３１０）。
【００８２】
第２の通知データを送信した後、第１の画像処理装置２０Ａ（再開部５０）は、第２の画像処理装置２０Ｂへの画像情報の送信処理を再開する（Ｓ３１１）。この場合、Ｓ３０７で記憶部２４に保存した画像情報及び送信状況情報が読み出され、送信済みの頁の次の頁から画像情報の送信が再開される。例えば、全１００頁の文書の第１頁から第３０頁までの画像情報が送信済みである場合には、画像情報の送信が第３１頁から再開される。
【００８３】
画像情報の送信処理が完了した場合、第１の画像処理装置２０Ａは完了通知を第２の画像処理装置２０Ｂに送信する（Ｓ３１２）。完了通知を受信した場合、第２の画像処理装置２０Ｂは今回の受信処理のログをログテーブルに登録する（Ｓ３１３）。この場合、受信された文書の全頁の画像情報が第２の画像処理装置２０Ｂに記憶される。一方、完了通知を送信した第１の画像処理装置２０Ａは第２の画像処理装置２０Ｂとの通信接続を切断する。また、第１の画像処理装置２０Ａは今回の送信処理のログをログテーブルに登録する（Ｓ３１４）。
【００８４】
図９に示す処理では、第１の画像処理装置２０Ａにおいて第２の画像処理装置２０Ｂへの画像情報の送信処理の実行中にコピー処理の実行指示が受け付けられた場合に、画像情報の送信処理よりも優先してコピー処理が実行されても、すでに通信したデータが有効に活用され、コピー処理と、第２の画像処理装置２０Ｂへの画像情報の送信処理と、の両方が正常に完了される。
【００８５】
［３．変形例］
なお、本発明は以上に説明した実施の形態に限定されるものではない。
【００８６】
以上では、情報処理装置の一態様である画像処理装置２０を含む情報処理システムに本発明を適用した場合について説明したが、本発明は、画像処理装置２０以外の情報処理装置を含む情報処理システムにも適用することができる。例えば、第１の情報処理装置と第２の情報処理装置との間の画像情報以外の情報の送受信中に、第１の情報処理装置（又は第２の情報処理装置）で画像処理以外の処理の実行を開始するような場合にも、本発明は適用することができる。
【図面の簡単な説明】
【００８７】
【図１】本実施形態に係る情報処理システムの構成を示す図である。
【図２】第１実施形態に係る情報処理システムの機能ブロック図である。
【図３】第１実施形態に係る情報処理システムで実行される処理の一例を説明するための図である。
【図４】ログテーブルの一例を示す図である。
【図５】再開されたＦＡＸ受信処理のログの一例を示す図である。
【図６】ログテーブルの一例を示す図である。
【図７】第１実施形態に係る情報処理システムで実行される処理の他の一例を説明するための図である。
【図８】第２実施形態に係る情報処理システムの機能ブロック図である。
【図９】第２実施形態に係る情報処理システムで実行される処理の一例を説明するための図である。
【符号の説明】
【００８８】
１０，１０ａ  情報処理システム、２０  画像処理装置、２０Ａ  第１の画像処理装置、２０Ｂ  第２の画像処理装置、２２  制御部、２４  記憶部、２６  操作受付部、２８  表示部、３０  通信部、３２  プリンタ部、３４  スキャナ部、４０  第１の実行部、４２  中断部、４４  第２の実行部、４６  第１の通知データ送信部、４８  第２の通知データ送信部、５０  再開部、５２  取得部、５４  記憶部、６０  第３の実行部、６２  中断部、６２ａ  制限部、６４  再開部、６４ａ  解除／緩和部、６６  取得部、６８  記憶部。
【図１】
2010093438.tif 000003
【図２】
2010093438.tif 000004
【図３】
2010093438.tif 000005
【図４】
2010093438.tif 000006
【図５】
2010093438.tif 000007
【図６】
2010093438.tif 000008
【図７】
2010093438.tif 000009
【図８】
2010093438.tif 000010
【図９】
2010093438.tif 000011